(57)【要約】      （修正有）【課題】回動部材に電気的表示要素を配置した構成で、電線の断線を防止することができる遊技機を提供する。【解決手段】演出装置は、前後方向へ貫通する軸孔２１１ａを有するベースと、ベースに取り付けられる回動演出用モータ２２１と、ベースに回動可能に支持されると共に、回動演出用モータ２２１の駆動により回動可能であって、かつ軸孔２１１ａと共に前後方向へ貫通する通孔２３２ｂを有する回動部材２３２と、回動部材２３２と一体的に回動可能で、かつ前面で電気的表示演出を行う光源と、光源に一端が電気的に接続される電線２３６と、を備える。電線２３６の他端は、回動部材２３２の通孔２３２ｂ及びベースの軸孔２１１ａを通ってベースの後側に導出されて配線される。【選択図】図４
2016221157.tif 000002
【特許請求の範囲】
【請求項１】
遊技状況に応じた演出を行う演出装置を備えた遊技機において、
前記演出装置は、
前記遊技機の所定部位に固定され、前後方向へ貫通する軸孔を有するベースと、
前記ベースに取り付けられる回動演出用電気的駆動源と、
前記ベースに回動可能に支持されると共に、前記回動演出用電気的駆動源の駆動により回動可能であって、かつ前記軸孔と共に前後方向へ貫通する通孔を有する回動部材と、
前記回動部材と一体的に回動可能で、かつ前面で電気的表示演出を行う電気的表示要素と、
前記電気的表示要素に一端が電気的に接続される電線と、を備え、
前記電線の他端は、前記回動部材の前記通孔及び前記ベースの前記軸孔を通って前記ベースの後側に導出されて配線されることを特徴とする遊技機。
【請求項２】
前記演出装置はさらに、
前記回動部材に取り付けられる開閉演出用電気的駆動源と、
前記回動部材と一体的に回動可能に支持されると共に、前記開閉演出用電気的駆動源の駆動により前記電気的表示要素の前面の少なくとも一部を前側から遮蔽する閉鎖位置及び露呈する開放位置に移動可能な可動部材と、
前記可動部材の後側にあって、前記電線が通過する通孔を有すると共に、前記開閉演出用電気的駆動源の駆動により回動し、当該回動により前記可動部材を前記閉鎖位置及び開放位置に移動させるギヤ機構と、を備えることを特徴とする請求項１記載の遊技機。
【請求項３】
前記可動部材は、前記ギヤ機構により前記電気的表示要素の前面に沿ってスライド可能な１対のシャッターにより構成され、
前記１対のシャッターは、前記開閉演出用電気的駆動源の駆動により、互いに反対方向へスライド可能で、かつ表面に所定の形を模った意匠部を形成すると共に、スライド方向において互いに対向する合わせ面が接触する前記閉鎖位置、及び前記合わせ面が離間する前記開放位置に移動可能であり、
前記１対のシャッターのうちいずれか一方のシャッターの対向面には、前記１対のシャッターのうちいずれか他方のシャッターの対向面に向けて突出する凸部を有し、前記他方のシャッターの対向面には、前記１対のシャッターが閉鎖位置にあるとき、前記凸部に嵌合する凹部を有し、
前記凹部及び前記凸部は、前記意匠部を模る線に沿って形成されることを特徴とする請求項２記載の遊技機。
【発明の詳細な説明】
【技術分野】
【０００１】
本発明は、遊技盤に遊技状況に応じた演出を行う演出装置を配置した遊技機に関する。
【背景技術】
【０００２】
パチンコ機、スロットマシン等の各種遊技機においては、遊技盤に設けた液晶ディスプレイ等の表示装置に遊技内容と関わりのある図柄、文字等の種々の演出情報を表示させることに加え、さらに、演出効果を高めるため、遊技盤には遊技状況に応じた演出動作を行う演出装置が配置される。
【０００３】
例えば、特許文献１に記載の遊技機は、表示装置の前方に演出装置の一部を構成する１対の扉を配置し、当該１対の扉をモータにより回動させる機械的動作の回動演出を行うことで、演出を複雑化して演出の面白みを向上させるようにしている。
【先行技術文献】
【特許文献】
【０００４】
【特許文献１】特開２０１０−２２７３９５号公報
【発明の概要】
【発明が解決しようとする課題】
【０００５】
しかし、特許文献１に記載の遊技機においては、演出装置が機械的動作の回動演出を行うものの、これだけでは、演出が単調になりがちであり面白みに欠けるものである。これを解消する手段として、１対の扉（以下、「回動部材」という）が回動する回動演出に加えて、遊技状況に応じた演出を電気的に表示する電気的表示演出を行うようにすることが考えられる。この電気的表示演出は、回動部材にＬＥＤ等の光源及び／または所定の演出を表示する液晶ディスプレイ等を設けることによって達成される。
【０００６】
しかしながら、回動部材に光源、液晶ディスプレイ等の電気的表示要素を配置した場合には、回動部材の回動に伴って電気的表示要素に電力を供給するための電線（ワイヤハーネス）の姿勢が繰り返し変化するため、電線内部や電気的表示要素と電線との接続個所に疲労断線が生じる虞がある。
【０００７】
本発明は、かかる課題に鑑みなされたものであって、回動部材に電気的表示要素を配置した構成で、電線の断線を防止した遊技機を提供することを目的とする。
【課題を解決するための手段】
【０００８】
上記課題を解決するため、本発明は、遊技状況に応じた演出を行う演出装置を備えた遊技機において、前記演出装置は、前記遊技機の所定部位に固定され、前後方向へ貫通する軸孔を有するベースと、前記ベースに取り付けられる回動演出用電気的駆動源と、前記ベースに回動可能に支持されると共に、前記回動演出用電気的駆動源の駆動により回動可能であって、かつ前記軸孔と共に前後方向へ貫通する通孔を有する回動部材と、前記回動部材と一体的に回動可能で、かつ前面で電気的表示演出を行う電気的表示要素と、前記電気的表示要素に一端が電気的に接続される電線と、を備え、前記電線の他端は、前記回動部材の前記通孔及び前記ベースの前記軸孔を通って前記ベースの後側に導出されて配線されることを特徴とする。
【０００９】
上記構成により、回動部材の回動に伴う電線の姿勢変化が少なくなるため、電線に繰り返し姿勢変化による疲労断線が生じることを防止できる。
なお、ベースの軸孔と回動部材の通孔とを同心円又は同心円状として、回動部材を軸孔を中心として回動し得るように支持すると、単純な構成で、回動部材の円滑な回動を得ることができる。
【００１０】
前記演出装置はさらに、前記回動部材に取り付けられる開閉演出用電気的駆動源と、前記回動部材と一体的に回動可能に支持されると共に、前記開閉演出用電気的駆動源の駆動により前記電気的表示要素の前面の少なくとも一部を前側から遮蔽する閉鎖位置及び露呈する開放位置に移動可能な可動部材と、前記可動部材の後側にあって、前記電線が通過する通孔を有すると共に、前記開閉演出用電気的駆動源の駆動により回動し、当該回動により前記可動部材を前記閉鎖位置及び開放位置に移動させるギヤ機構と、を備えるものとする。
【００１１】
上記構成により、ギヤ機構による可動部材の機械的動作の開閉演出時においても電線の姿勢変化が少なくなるため、電線に繰り返し姿勢変化による疲労断線が生じることを防止できる。
【００１２】
さらに、前記可動部材は、前記ギヤ機構により前記電気的表示要素の前面に沿ってスライド可能な１対のシャッターにより構成され、前記１対のシャッターは、前記開閉演出用電気的駆動源の駆動により、互いに反対方向へスライド可能で、かつ表面に所定の形を模った意匠部を形成すると共に、スライド方向において互いに対向する合わせ面が接触する前記閉鎖位置、及び前記合わせ面が離間する前記開放位置に移動可能であり、前記１対のシャッターのうちいずれか一方のシャッターの対向面には、前記１対のシャッターのうちいずれか他方のシャッターの対向面に向けて突出する凸部を有し、前記他方のシャッターの対向面には、前記１対のシャッターが閉鎖位置にあるとき、前記凸部に嵌合する凹部を有し、前記凹部及び前記凸部は、前記意匠部を模る線に沿って形成されるものとする。
【００１３】
上記構成により、電気的表示要素の少なくとも一部を遮蔽したり露呈したりする機械的動作の開閉演出を行う１対のシャッターが閉鎖位置にあるとき、互いの合わせ面の合わせ目が目立ち難くなり、意匠部を綺麗に表示させると共に、互いの対向面の位置合わせを行うことができる。
【発明の効果】
【００１４】
本発明によれば、回動部材の回動に伴う電線の姿勢変化が少なくなるため、電線が断線することを防止できる。
【図面の簡単な説明】
【００１５】
【図１】本発明に係る遊技機の斜視図である。
【図２】遊技盤の正面図である。
【図３】斜め前方から見た演出装置の分解斜視図である。
【図４】斜め後方から見た演出装置の分解斜視図である。
【図５】閉鎖状態にあるときの演出装置の正面図である。
【図６】開放状態にあるときの演出装置の正面図である。
【図７】回動状態にあるときの演出装置の正面図である。
【図８】図５におけるVIII−VIII線縦断面図である。
【図９】閉鎖状態にあるときの演出装置の裏面図である。
【図１０】回動状態にあるときの演出装置の裏面図である。
【図１１】閉鎖状態にあるときの演出装置の要部の正面図である。
【図１２】開放状態にあるときの演出装置の要部の正面図である。
【発明を実施するための形態】
【００１６】
以下、本発明を実施するための一実施形態を添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
また、以下の説明で使用する方位は、遊技機１の正面に対面する遊技者から見た場合の方位を指す。
【００１７】
図１に示すように、遊技機１は、遊技場の島設備に設置される矩形枠状の外枠２と、当該外枠２の左枠部に図示略の蝶番により垂直軸回りに開閉自在に取り付けられる内枠３と、当該内枠３に装着され、各種要素が組み付けられる図２に示す遊技盤４と、当該遊技盤４の前側にあって、内枠３の左枠部に上下の蝶番５、５により垂直軸回りに開閉自在に取り付けられ、遊技盤４の前面を遊技者が透視し得るガラス板６１を嵌め込んだガラス枠６と、ガラス枠６の下部に設けられ遊技盤４の裏側に設置される図示略の払出装置から払い出される遊技球Ｂを貯留するための上受皿部７と、上受皿部７に遊技球Ｂが満杯になった際、溢れ球を導入可能な下受皿部８と、ガラス枠６の前面右下部に設けられ上受皿部７に貯留された遊技球Ｂを遊技領域４０１へ打ち出す際に操作される発射ハンドル９と、ガラス枠６の上部に設けられ遊技状況に応じた効果音を出力するスピーカ１０Ｌ、１０Ｒと、ガラス枠６に設けられ遊技状況に応じて点灯、消灯及び点滅する照明演出を行う電飾装置１１と、遊技盤４の後側に設置される表示装置１２（図２に点線で表示）とを備える。また、遊技盤４の裏側には、遊技全体を統括的に制御する図示略の主制御部、主制御部からの指令に基づいて演出対象物（スピーカ１０Ｌ、１０Ｒ、電飾装置１１、表示装置１２及び後述の演出装置２０等）を制御する図示略の副制御部及び遊技盤４の裏側に設置され各電装部品に電力を供給するための図示略の電源装置等が設置される。
【００１８】
図２に点線で示す表示装置１２は、例えば液晶ディスプレイから構成され、例えば遊技に係わる情報である各種キャラクタや左列、中列、右列の３列の数字等で構成される図示略の演出図柄を変動、停止表示すると共に、そのときの遊技進行に応じた動画を表示することによって遊技の盛り上げ演出を行う。
【００１９】
図２に示すように、遊技盤４は、アクリル樹脂等の透明合成樹脂板により正面視ほぼ方形に形成されると共に、前面に、内外のガイドレール４０２、４０３によって包囲される円形（楕円形を含む）の遊技領域４０１を形成する。上受皿部７に貯留された遊技球Ｂは、発射ハンドル９が回転操作されることにより、ガラス枠５の右下部裏側に設けられる図示略の発射装置から発射されて、内外のガイドレール４０２、４０３により左斜め上方へ誘導されて遊技領域４０１内に導入されて流下する。
【００２０】
遊技領域４０１の略中央部には、遊技盤４の後側に設置される表示装置１２に表示される演出図柄を遊技者が視認し得るように、表示装置１２の周囲を前側から包囲する各種模様が施された正面視で枠状の装飾枠１３が固定される。
【００２１】
さらに、遊技領域４０１には、遊技領域４０１に打ち込まれた遊技球Ｂの流下方向を変化させる多数の図示略の釘と、表示装置１２の下方にあって、遊技領域４０１の左領域（装飾枠１３の左側の領域）を流下する遊技球Ｂのうち装飾枠１３の左部に設けられたワープ孔１３１に進入した遊技球Ｂを導入し、当該遊技球Ｂを左右及び前後方向へ転動させ得るステージ１４と、当該ステージ１４の下方にあって、遊技領域４０１を流下する遊技球Ｂ及びステージ１４の前側から落下した遊技球Ｂが入賞可能な始動入賞口１５と、遊技領域４０１の右領域（装飾枠１３の右側の領域）にあって、遊技球Ｂが通過可能なスルーチャッカ１６及び遊技球Ｂが入賞可能なアタッカー１７と、発射装置から発射された遊技球Ｂを遊技領域４０１の右領域へ誘導するための右打ち通路４０４と、遊技領域４０１に打ち込まれた遊技球Ｂのうち始動入賞口１５、アタッカー１７等に入賞しなかったアウト球を遊技盤４の裏面側に排出するアウト口１８等が設けられる。
【００２２】
また、装飾枠１３の上部には、遊技状態が所定の特別遊技状態（例えばリーチ、大当り）になったとき所定の演出動作を行う演出装置２０が設けられる。
【００２３】
遊技機１の遊技は、発射ハンドル９の回転操作により発射装置の発射力を調節し、上受皿部７に貯留された遊技球Ｂを遊技領域４０１に打ち込むことで行われる。
【００２４】
遊技領域４０１を流下する遊技球Ｂが始動入賞口１５に入賞した場合には、これを契機に、主制御部により実行される内部抽選の結果、所定の変動パターンに基づいて、表示装置１２に演出図柄が所定時間所定の演出態様で表示演出される。そして、内部抽選の結果、リーチが発生した場合には、副制御部の制御をもって、演出装置２０は、後述のシャッター２５３、２５４が開閉動作する開閉演出、シャッター２５３、２５４が回動する回動演出、及びシャッター２５３、２５４の表面が光り輝くような電気的表示演出を行う。
【００２５】
その後、表示装置１２に表示された演出図柄が左、中、右列に同一の図柄が揃って確定表示された場合には、主制御部は、遊技状態を遊技者にとって有利となる大当りに移行させるように制御し、副制御部は、図７に示すように、演出装置２０のシャッター２５３、２５４が回動する回動演出、及びシャッター２５３、２５４の表面が光り輝く電気的表示演出の制御を行う。そして、遊技状態が大当りに移行した場合には、遊技球Ｂが右打ちされるように、発射ハンドル９を回転操作して発射装置の発射力が最大力となるように調整する。
【００２６】
右打ちされた遊技球Ｂは、右打ち通路４０４を通って遊技領域４０１の右領域に導かれ、所定の開閉パターンで開閉作動するアタッカー１７に容易に入賞することができる。
【００２７】
アタッカー１７は、内部に設けた図示略のアタッカーセンサが遊技球を１０個入賞したことを検知するか、または開放してから３０秒が経過すると閉鎖し、閉鎖後に再度開放する。これを最大１５回まで繰返す。これにより、大当りが発生した場合には、アタッカー１７に多数の遊技球が入賞可能となり、図示略の賞球払出装置から賞球として大量の遊技球が短時間に上受皿部７に払い出される。
【００２８】
次に、演出装置２０の構成について説明する。
図３は、前斜め方向から見た演出装置２０の分解斜視図、図４は、後斜め方向から見た演出装置２０の分解斜視図、図５〜７は、演出装置２０の正面図、図８は、図５におけるVIII−VIII線断面図、図９、１０は、演出装置２０の裏面図、図１１、１２は、要部の正面図である。
【００２９】
演出装置２０は、主要素として、遊技盤４に固定されるベース手段２１と、回動演出用駆動手段２２と、回動演出用駆動手段２２により回動する回動表示手段２３と、開閉演出用駆動手段２４と、開閉演出用駆動手段２４により開閉動作する開閉動作手段２５とを備える。
【００３０】
ベース手段２１は、遊技盤４に固定されるメインベース２１１と、メインベース２１１の後側に固定されるサブベース２１２及びモータベース２１３とを含んで構成される。
【００３１】
メインベース２１１は、表面に所定の模様２１１ｃが施されると共に、略中央部に前後方向へ貫通する軸孔２１１ａを有し、後面における軸孔２１１ａの周囲には後方へ突出する円筒フランジ部２１１ｂが形成される。
【００３２】
モータベース２１３は、サブベース２１２を介してメインベース２１１の後側に固定されると共に、後述の光源用基板２３４に電気的に接続される電線２３６を後方へ導出させるための円形の導出口２１３ａを有する。
【００３３】
導出口２１３ａは、モータベース２１３をメインベース２１１の後側に固定した形態で、導出口２１３ａの中心とメインベース２１１における軸孔２１１ａの中心とが略一致するように形成される。また、モータベース２１３における後面には、導出口２１３ａから導出した電線２３６を図９、１０に示すように保持するためのガイド壁２１３ｂが設けられる。ガイド壁２１３ｂは、後方へ突出すると共に導出口２１３ａの周囲に沿うような円弧状に形成される。
【００３４】
回動演出用駆動手段２２は、モータベース２１３に取り付けられ回動演出用モータ（回動演出用電気的駆動源）２２１と、モータベース２１３に前後方向を向く軸により枢支され回動演出用モータ２２１の出力軸に固定されるピニオンギヤ２２２に噛合する従動ギヤ２２３と、モータベース２１３に前後方向を向く軸２２５より回動可能に枢支されるリンク２２４とを含んで構成される。
【００３５】
リンク２２４は、左部にセクタギヤ部２２４ａ、右部に長手方向が左右方向を向く長孔２２４ｂをそれぞれ有し、長孔２２４ｂに従動ギヤ２２３に設けられた前向き突部２２３ａが係合することにより、回動演出用モータ２２１の駆動による従動ギヤ２２３の回動に伴って、軸２２５を中心に図９に示す初期位置から図１０に示す回動位置、及びその逆へ回動することができる。
【００３６】
回動表示手段２３は、リンク２２４のセクタギヤ部２２４ａに噛合するギヤ２３１、当該ギヤ２３１と一体的に回動する回動部材２３２、バックプレート２３３、光源用基板２３４、光源２３４ａ及びレンズ２３５を含んで構成される。
【００３７】
ギヤ２３１は、図８に示すように、メインベース２１１の後側から円筒フランジ部２１１ｂの外周に外嵌されることにより、軸孔２１１ａを中心に回動可能に支持されると共に、リンク２２４のセクタギヤ部２２４ａに噛合することによって、リンク２２４の回動に伴って所定角度（本実施形態では略４５度）回動する。さらに、図８から理解できるように、ギヤ２３１は、軸孔２１１ａの内側に位置する部分に電線２３６が挿通し得る大きさの円形の通孔２３１ａを有する。
【００３８】
回動部材２３２は、図８から理解できるように、後面中央に設けた後ろ向きの円筒フランジ部２３２ｉが、メインベース２１１の前側から軸孔２１１ａに挿入されてギヤ２３１の前面にねじ止め固定されることにより、ギヤ２３１と一体となって軸孔２１１ａを中心に回動し得るように、メインベース２１１の前側に回動可能に支持される。さらに、回動部材２３２の中心部には、前方へ突出する軸部２３２ａが形成され、同じく当該軸部２３２ａの近傍で、かつ円筒フランジ部２３２ｉの内側には、電線２３６が挿通し得る大きさの通孔２３２ｂが形成され、また同じく円筒フランジ部２３２ｉの外側には、複数の横向きの長孔２３２ｃ〜２３２ｈが形成される。
なお、回動部材２３２の通孔２３２ｂを、メインベース２１１の軸孔２１１ａと同心円又は同心円状として、回動部材２３２を軸孔２１１ａを中心として回動し得るように支持すると、単純な構成で、回動部材２３２の円滑な回動を得ることができる。
【００３９】
光源用基板２３４は、前面に電気的表示要素をなす複数の光源（例えば、ＬＥＤ）２３４ａが実装されると共に、光源２３４ａが回動部材２３２と一体的に回動するように、回動部材２３２の前面にバックプレート２３３を介して固定される。これにより、光源２３４ａは、光源用基板２３４の前面でそのときの遊技状況に応じた光による表示演出を行う。光源用基板２３４の後面には、光源２３４ａに電力を供給するための電線２３６の一端２３６ａが電気的に接続されるコネクタ２３４ｂが実装される。
【００４０】
コネクタ２３４ｂに接続された電線２３６の他端２３６ｂは、バックプレート２３３の通孔２３３ａ、後述の左右のスライド部材２５１、２５２の切欠部２５１ｆ、２５２ｆ、後述のカムギヤ２４３の通孔２４３ｃ、回動部材２３２の通孔２３２ｂ、メインベース２１１の軸孔２１１ａ、ギヤ２３１の通孔２３１ａ及びモータベース２１３の導出口２１３ａを通ってモータベース２１３の後側に導出されて、副制御部に電気的に接続される。
【００４１】
なお、ギヤ２３１、回動部材２３２及びバックプレート２３３は、光源用基板２３４と一体となって回動するものであるため、光源用基板２３４が回動した場合でも、電線２３６と、ギヤ２３１の通孔２３１ａ、回動部材２３２の通孔２３２ｂ及びバックプレート２３３の２３３ａとの位置関係が変化しないため、各通孔２３１ａ、２３２ｂ、２３３ａは、少なくとも電線２３６が挿入できるだけの大きさで足りる。また、左右のスライド部材２５１、２５２の切欠部２５１ｆ、２５２ｆについても同様である。しかし、カムギヤ２４３は、自体の回動時に、光源用基板２３４に対して相対的に位置関係が変化するため、カムギヤ２４３の通孔２４３ｃは、カムギヤ２４３の回動を許容し得る長さの円弧状に形成される。
【００４２】
レンズ２３５は、光源用基板２３４の前面に固定されると共に、左右方向の中央部分には、複数の凹凸による乱反射面を有する縦長の光輝部２３５ａが形成される。光輝部２３５ａは、複数の光源２３４ａのうち光輝部２３５ａの真後ろに位置する複数の光源２３４ａの発光による電気的表示演出を強調するように、表面が所定のパターンで光り輝く。また、光輝部２３５ａを除くレンズ２３５の表面には、光源２３４ａの光を拡散させるための凹状の複数の乱反射部２３５ｂが形成される。
【００４３】
開閉演出用駆動手段２４は、回動部材２３２の後側に取り付けられ開閉演出用モータ（開閉演出用電気的駆動源）２４１と、回動部材２３２の前面に回動可能に枢支され、開閉演出用モータ２４１の出力軸に固定されるピニオンギヤ２４２に噛合するカムギヤ２４３とを含む。
【００４４】
カムギヤ２４３は、本発明のギヤ機構に相当するものであって、回動部材２３２の軸部２３２ａに回動可能に枢支され、ピニオンギヤ２４２に噛合することにより開閉演出用モータ２４１の回転に基づいて軸部２３２ａを中心に所定角度回動する。さらに、カムギヤ２４３には、円弧状のカム孔２４３ａ、２４３ｂが設けられる。カム孔２４３ａ、２４３ｂは、後述のスライド部材２５１、２５２の突部２５１ａ、２５２ａにそれぞれ摺動可能に係合することで、カムギヤ２４３の回転運動を直線運動に変換して、スライド部材２５１，２５２を介してシャッター２５３、２５４に伝達する構成を備える。
【００４５】
開閉動作手段２５は、回動部材２３２の前側にカムギヤ２４３を挟んで左右方向へ移動可能に支持される左右１対のスライド部材２５１、２５２と、左右のスライド部材２５１、２５２の前側にそれぞれ固定される左右１対のシャッター２５３、２５４とを含んで構成される。
【００４６】
スライド部材２５１、２５２は、それぞれ半円形状を呈し、カムギヤ２４３を挟んで回動部材２３２の前側に左右方向へ移動可能に支持される。また、左のスライド部材２５１の左部分には、ハンマーの柄を模した飾り部２５１ｇが設けられ、右のスライド部材２５２の右部分には、ハンマーのハンマー部を模した飾り部２５２ｇが設けられる。
【００４７】
左のスライド部材２５１は、図１１、１２に示すように、後面に設けた後ろ向き上突部２５１ｂが回動部材２３２の左上長孔２３２ｃ、後ろ向き下突部２５１ｃが回動部材２３２の左下長孔２３２ｄ、また後ろ向き左突部２５１ｄが回動部材２３２の左長孔２３２ｅにそれぞれ左右方向へ移動可能に挿入され、さらに後ろ向き中突部２５１ａがカムギヤ２４３の左側のカム孔２４３ｂに挿入されることによって、開閉演出用モータ２４１の駆動によるカムギヤ２４３の時計方向への回転に伴って、図１１に示す閉鎖位置から左方へスライド移動し、同じく反時計方向への回転に伴って図１２に示す開放位置から右方へスライド移動する。なお、図１１、１２は、左右のシャッター２５３、２５４、レンズ２３５、光源用基板２３４及びバックプレート２３３を省略した状態の要部の正面図を示している。
【００４８】
右のスライド部材２５２は、図１１、１２に示すように、後面に設けた後ろ向き上突部２５２ｂが回動部材２３２の左上長孔２３２ｆ、後ろ向き下突部２５２ｃが回動部材２３２の左下長孔２３２ｇ、また後ろ向き左突部２５２ｄが回動部材２３２の左長孔２３２ｈにそれぞれ左右方向へ移動可能に挿入され、さらに後ろ向き中突部２５２ａがカムギヤ２４３の右側のカム孔２４３ｂに挿入されることによって、開閉演出用モータ２４１の駆動によるカムギヤ２４３の時計方向への回転に伴って、図１１に示す閉鎖位置から右方へスライド移動し、同じく反時計方向への回転に伴って図１２に示す開放位置から左方へスライド移動する。
なお、左右のスライド部材２５１、２５２は、それぞれの上下部に掛止されたスプリング２５５の付勢力によってそれぞれ閉鎖方向へ付勢されている。
【００４９】
さらに、左右のスライド部材２５１、２５２には、それぞれが閉鎖位置にあるとき、電線２２６を通過させるための切欠部２５１ｆ、２５２ｆがそれぞれ設けられる。
【００５０】
左右のシャッター２５３、２５４は、本発明の可動部材に相当し、それぞれ半円状を呈してレンズ２３５の前側に配置されると共に、バックプレート２３３、光源用基板２３４及びレンズ２３５を前後から挟むようにして左右のスライド部材２５１、２５２の前側にそれぞれ固定されることによって、回動部材２３２と一体となって回動する。
【００５１】
左右のシャッター２５３、２５４は、開閉演出用モータ２４１の駆動により、左右のスライド部材２５１、２５２のスライド移動に伴って、レンズ２３５の表面に沿って互いに反対方向へスライド移動することで、互いに対向する合わせ面２５３ｂ、２５４ｂが接触してレンズ２３５の少なくとも光輝部２３５ａの表面及び当該光輝部２３５ａの後側に位置する全て（又は一部）の光源２３４ａを遮蔽する図５に示す閉鎖位置、及び合わせ面２５３ｂ、２５４ｂが離間してレンズ２３５の光輝部２３５ａ及び当該光輝部２３５ａの後側に位置する光源２３４ａを露呈させる図６に示す開放位置に移動する。
【００５２】
主に図５に示すように、左のシャッター２５３の表面には、所定の形（本実施形態では、天秤）を模った意匠Ａ（符号「Ａ」は図面に記載無し）の左半分の半意匠部２５３ａが形成される。右のシャッター２５４の表面には、意匠Ａの右半分の半意匠部２５４ａが形成される。
【００５３】
意匠Ａは、左右のシャッター２５３、２５４が前述の前記閉鎖位置にあるとき完全な形（正面視で意匠Ａの模様が完全に模られた形）を呈し、同じく前述の開放位置にあるとき、合わせ面２５３ｂ、２５４ｂから左右に分離する。
【００５４】
左のシャッター２５３の合わせ面２５３ｂの少なくとも一部には、意匠Ａの一部を模る線に沿うような形状で、右のシャッター２５４の対向面２５４ｂに向けて突出する凸部２５３ｃが設けられる。右のシャッター２５４の合わせ面２５４ｂには、意匠Ａの一部を模る線に沿うような形状で後方へ凹んで、左右のシャッター２５３、２５４がそれぞれ前記閉鎖位置にあるとき、凸部２５３ｃが上下方向に嵌合する凹部２５４ｃが設けられる。
【００５５】
凸部２５３ｃは、先端に向かって段階的に先細りとなるように階段状に形成される。凹部２５４ｃは、凸部２５３ｃの形状に合わせた凹みに形状に形成される。
このようにすることで、シャッター２５３、２５４が閉鎖位置にあって、意匠Ａが完全な形状を呈している形態においては、左右のシャッター２５３、２５４の合わせ面の２５３ｂ、２５４ｂの合わせ目を目立ち難くすることができると共に、左右のシャッター２５３、２５４の閉鎖位置の位置決めを行うことができる。
【００５６】
なお、本実施形態に代えて、凸部２５３ｃを右のシャッター２５４の対向面２５４ｂに設け、凹部２５４ｃを左のシャッター２５３の対向面２５３ｂに設けても、上述の同様な作用効果を奏する。
【００５７】
図６に示すように、左右のシャッター２５３、２５４が開放位置にあって、レンズ２３５の光輝部２３５ａが露出している形態においては、光源用基板２３４の中央部分に縦配列された光源２３４ａの発光によって光輝部２３５ａの表面が光り輝くことで、恰も意匠部Ａが左右半分に切り裂かれるような態様の電気的表示演出が行われる。
【００５８】
次に、演出装置２０における作用について説明する。
通常の遊技状態においては、図５に示すように、演出装置２０は、左右のシャッター２５３、２５４の合わせ面２５３ｂ、２５４ｂが互いに接触する閉鎖位置にあって、レンズ２３５の表面及びその後側に位置する光源２３４ａを遮蔽する閉鎖状態にある。この状態においては、遊技状況に応じて、光源用基板２３４の光源２３４ａが発光することにより、レンズ２３５を透してシャッター２５３、２５４の表面が光り輝くような電気的表示演出が行われる。
【００５９】
遊技状態が例えばリーチ等になった場合には、図６に示すように、演出装置２０は、シャッター２５３、２５４が開放位置に移動して、レンズ２３５の光輝部２３５ａ及び光輝部２３５ａを介してその後側に位置する光源２３４ａを露呈する開放状態に変化する機械的動作の開閉演出を行う。
【００６０】
演出装置２０の閉鎖状態から開放状態への変化は、回動演出用モータ２４１の駆動により行われる。すなわち、回動演出用モータ２４１が駆動すると、カムギヤ２４３は、図１１に示す初期位置から時計方向へ所定角度回動して図１２に示す回動位置まで回動する。当該回動は、左右のスライド部材２５１、２５２の各後ろ向き中突部２５１ａ、２５２ａとカムギヤ２４３の各カム孔２４３ａ、２４３ｂとの係合関係によって左右方向への直線移動に変換され、左右のスライド部材２５１、２５２にそれぞれ伝達される。
【００６１】
これにより、左右のシャッター２５３、２５４は、左右のスライド部材２５１、２５２と共に互いに反対方向へスライド移動して、図５に示す閉鎖位置から図６に示す開放位置にスライド移動する。左右のシャッター２５３、２５４が開放位置に移動した場合には、左右のシャッター２５３、２５４の合わせ面２５３ｂ、２５４ｂ間からレンズ２３５の光輝部２３５ａが露呈し、光輝部２３５ａが当該光輝部２３５ａの真後ろに配置された光源２３４ａの発光によって光り輝く電気的表示演出が行われる。
【００６２】
さらに、リーチが発展した場合、またはリーチ終了後に大当りとなった場合には、演出装置２０は、左右のシャッター２５３、２５４が閉鎖位置にある図５に示す閉鎖状態のまま図７に示す位置まで回動する機械的動作の回動演出及び光源２３４ａの発光により左右のシャッター２５３、２５４の表面が光り輝く電気的表示演出が行われる。
【００６３】
演出装置２０の機械的動作の回動演出は、回動演出用モータ２２１の駆動により行われる。すなわち、回動演出用モータ２２１が駆動すると、ギヤ２３１は、回動演出用モータ２２１の駆動によるリンク２２４の回動に伴って、正面視で時計方向へ所定角度回動する。ギヤ２３１が回動すると、ギヤ２３１と一体回動する回動部材２３２に支持されたカムギヤ２４３、左右のスライド部材２５１、２５２、バックプレート２３３、光源用基板２３４、レンズ２３５及び左右のシャッター２５３、２５４、さらに、ハンマーを模した飾り部２５１ｇ、２５２ｇがメインベース２１１の軸孔２１１ａを中心に回動する。
【００６４】
これにより、左右のシャッター２５３、２５４及び飾り部２５１ｇ、２５２ｇは、図５に示す状態から図７に示す状態に回動することによって、恰もハンマーのハンマー部を模した飾り部２５２ｇが何かを叩くような機械的動作の回動演出が行われる。
【００６５】
この場合、電線２３６は、バックプレート２３３の通孔２３３ａ、左右のスライド部材２５１、２５２の切欠部２５１ｆ、２５２ｆ、回動部材２３２の通孔２３２ｂ、メインベース２１１の軸孔２１１ａ及びモータベース２１３の導出口２１３ａを通ってモータベース２１３の後側に導出されることから、回動部材２３２の回動に伴う電線２３６の姿勢変化が少ないため、電線２３６に繰り返し姿勢変化による疲労断線が生じることを防止できる。
【００６６】
また、演出装置２０のシャッター２５３、２５４の表面が光り輝く電気的表示演出は、光源用基板２３４に実装された光源２３４ａの発光によるレンズ２３５を透した照明を左右のシャッター２５３、２５４に裏側から当てることにより行われる。
【００６７】
以上、本発明の一実施形態について説明したが、本発明の要旨を逸脱しない範囲内で、本実施形態に対して、次のような種々の変形や変更を施すことが可能である。
（ａ）シャッター２５３、２５４を上下方向又は斜め方向へスライド移動する構成とする。
（ｂ）回動演出用モータ２２１の出力軸に固定されたピニオンギヤ２２２、従動ギヤ２２３又はリンク２２４のセクタギヤ部２２４ａのいずれかに、回動部材２３２に新たに設けたギヤ部を噛合することにより、回動演出用モータ２２１の駆動により回動部材２３２が回動する構成とする。
回動部材２３２のギヤ部にリンク２２４のセクタギヤ部２２４ａを噛合した場合にはギヤ２３１は省略され、同じくギヤ部に従動ギヤ２２３を噛合した場合にはギヤ２３１及びリンク２２４は省略され、またピニオンギヤ２２２を噛合した場合にはギヤ２３１、リンク２２４及び従動ギヤ２２３は省略される。
（ｃ）開閉演出用電気的駆動源を、モータに代えてソレノイドとする。この場合には、カムギヤ２４３及びスライド部材２５１、２５２を省略することができる。
（ｄ）電気的表示要素を、光源２３４ａに代えて、又はそれに加えて、遊技状況に応じた所定の演出情報を表示可能な液晶ディスプレイ又は７セグメントディスプレイとする。この場合には、シャッター２５３、２５４は、閉鎖位置にあるとき、液晶ディスプレイ又は７セグメントディスプレイの表示面を前側から遮蔽し、開放位置にあるとき、液晶ディスプレイ又は７セグメントディスプレイの表示面を開放して、表示面に表示される演出情報を視認可能な構成とする。また、レンズ２３５は、必要に応じて省略することができる。
（ｅ）１対のシャッター２５３、２５４が開放位置にあるとき、必要に応じてレンズ２３５の全域又は一部を開放可能とする。
（ｆ）演出装置２０を設ける位置を、本実施形態以外の位置する。
（ｇ）意匠Ａの形を適宜変更する。
（ｈ）左右のシャッター２５３、２５４の合わせ面２５３ｂ、２５４ｂの全域を、意匠Ａを模る線に沿うように設ける。
（ｉ）ギヤ機構をカムギヤ２４３に代えて、他の構成を用いる。例えば、ラックピニオン等。
（ｊ）遊技機１をスロットマシンとする。
（ｋ）前記（ａ）〜（ｊ）を適宜組み合わせる。
【符号の説明】
【００６８】
１  遊技機                          ２  外枠
３  内枠                            ４  遊技盤
４０１  遊技領域                    ４０２、４０３ガイドレール
４０４  右打ち通路                  ５  蝶番
６  ガラス枠                        ６１  ガラス板
７  上受皿部                        ８  下受皿部
９  発射ハンドル                    １０Ｌ、１０Ｒ  スピーカ
１１  電飾装置                      １２  表示装置
１３  装飾枠                        １３１  ワープ孔
１４  ステージ                      １５  始動入賞口
１６  スルーチャッカ                １７  アタッカー
１８  アウト口                      ２０  演出装置
２１  ベース手段                    ２１１  メインベース
２１１ａ  軸孔                      ２１１ｂ  円筒フランジ部
２１２  サブベース                  ２１３  モータベース
２１３ａ  導出口                    ２１３ｂ  ガイド壁
２２  回動演出用駆動手段
２２１  回動演出用モータ（回動演出用電気的駆動源）
２２２  ピニオンギヤ                ２２３  従動ギヤ
２２３ａ  前向き突部                ２２４  リンク
２２４ａ  セクタギヤ部              ２２４ｂ  長孔
２２５  軸                          ２３  回動表示手段
２３１  ギヤ                        ２３１ａ  通孔
２３２  回動部材                    ２３２ａ  軸部
２３２ｂ  通孔                      ２３２ｃ  左上長孔
２３２ｄ  左下長孔                  ２３２ｅ  左長孔
２３２ｆ  右上長孔                  ２３２ｇ  右下長孔
２３２ｈ  左長孔                    ２３２ｉ  円筒フランジ部
２３３  バックプレート              ２３３ａ  通孔
２３４  光源用基板                  ２３４ａ  光源（電気的表示要素）
２３４ｂ  コネクタ                  ２３５  レンズ
２３５ａ  光輝部                    ２３５ｂ  乱反射部
２３６  電線                        ２３６ａ  一端
２３６ｂ  他端                      ２４  開閉演出用駆動手段
２４１  開閉演出用モータ（開閉演出用電気的駆動源）
２４２  ピニオンギヤ                ２４３  カムギヤ
２４３ａ、２４３ｂ  カム孔          ２４３ｃ  通孔
２５  開閉動作手段                  ２５１、２５２  スライド部材
２５１ａ  後ろ向き中突部            ２５１ｂ  後ろ向き上突部
２５１ｃ  後ろ向き下突部            ２５１ｄ  後ろ向き左突部
２５１ｆ  切欠部                    ２５１ｇ  飾り部
２５２ａ  後ろ向き中突部            ２５２ｂ  後ろ向き上突部
２５２ｃ  後ろ向き下突部            ２５２ｄ  後ろ向き右突部
２５２ｆ  切欠部                    ２５２ｇ  飾り部
２５３、２５４  シャッター（可動部材）
２５３ａ、２５４ａ  半意匠部        ２５３ｂ、２５４ｂ  合わせ面
２５３ｃ  凸部                      ２５４ｃ  凹部
２５５  スプリング
【図１】
2016221157.tif 000003
【図２】
2016221157.tif 000004
【図３】
2016221157.tif 000005
【図４】
2016221157.tif 000006
【図５】
2016221157.tif 000007
【図６】
2016221157.tif 000008
【図７】
2016221157.tif 000009
【図８】
2016221157.tif 000010
【図９】
2016221157.tif 000011
【図１０】
2016221157.tif 000012
【図１１】
2016221157.tif 000013
【図１２】
2016221157.tif 000014